(57)【要約】【課題】住宅に向かって吹いている風の風向を住宅にいながら知ることが可能で、これにより、外部の自然の風を住宅内に取り入れることに役立つ風向検知システムを提供する。【解決手段】住宅の外に設置され、該住宅に向かって吹く風の風向の方角を検知する風向検知手段６と、住宅が備えている開閉可能な窓の位置を明示した住宅の間取図を表示する表示画面１３を備えたモニタ装置１０と、を備えると共に、該モニタ装置１０は、風向検知手段６が検知した風向の方角を、住宅に対する風吹込方角として用いると共に、表示画面１３に表示された間取図に示されている北の方角に対して適合するように、風吹込方角を示す矢印等の図形を、間取図に重ねて表示画面１３に表示するようにして風向検知システム１を構成する。【選択図】図１
2010048677.tif 000002
【特許請求の範囲】
【請求項１】
住宅の外に設置され、該住宅に向かって吹く風の風向の方角を検知する風向検知手段と、
前記住宅が備えている開閉可能な窓の位置を明示した前記住宅の間取図を表示する表示画面を備えたモニタ装置と、を備えると共に、
該モニタ装置は、前記風向検知手段が検知した風向の方角を、前記住宅に対する風吹込方角として用いると共に、前記表示画面に表示された前記間取図に示されている北の方角に対して適合するように、前記風吹込方角を示す矢印等の図形を、前記間取図に重ねて前記表示画面に表示することを特徴とする風向検知システム。
【請求項２】
請求項１記載の風向検知システムにおいて、
住宅の外に設置され、該住宅に向かって吹く風の風速を検知する風速検知手段を備えると共に、
前記モニタ装置は、該風速検知手段が検知した風速を、前記図形と共に、前記表示画面に表示する風向検知システム。
【請求項３】
請求項１又は２記載の風向検知システムにおいて、
前記モニタ装置は、
前記風吹込方角の風を、前記住宅外から該住宅内へ吹込ませるのにもっとも最適な窓を、前記住宅が備える前記開閉可能な窓の中から選択して、最適窓とすると共に、該最適窓に該当する前記住宅の間取図上の窓を、それ以外の窓と区別できるようにして、前記表示画面に表示する風向検知システム。
【請求項４】
請求項３記載の風向検知システムにおいて、
前記モニタ装置は、
東西南北の方角を分割した各方角域に含まれる方角の風を、前記住宅外から該住宅内へ吹込ませるのに最適な窓として、前記住宅が備える前記開閉可能な窓の中から抽出された窓を、各前記方角域と対応付けて構成された風吹込窓情報を備えると共に、
前記風吹込方角の方角が含まれる前記方角域と対応付けられている前記窓を、前記風吹込窓情報の中から選択して、前記最適窓とする風向検知システム。
【請求項５】
請求項４記載の風向検知システムにおいて、
前記風吹込窓情報を構成している前記窓は、前記住宅へ風を吹込ませるときの該風の入口となる窓である風向検知システム。
【請求項６】
請求項４記載の風向検知システムにおいて、
前記風吹込窓情報を構成している前記窓は、前記住宅へ風を吹込ませるときの該風の入口となる窓、及び、該風の出口となる窓である風向検知システム。
【請求項７】
請求項３〜６のいずれか１項に記載の風向検知システムにおいて、
前記住宅が備える開閉可能な窓は、開指令を受けると、自動的に開く窓開手段を備えていると共に、
前記モニタ装置は、前記最適窓に備えられている前記窓開手段に対して、前記開指令を送る風向検知システム。
【請求項８】
請求項７記載の風向検知システムにおいて、
前記住宅の外に設置され、該住宅に向かって吹く風の風速を検知する風速検知手段を備えると共に、
前記モニタ装置は、前記風速検知手段が検知した風速が一定風速以下である場合に、前記最適窓に備えられている前記窓開手段に対して、前記開指令を送る風向検知システム。
【請求項９】
請求項１〜８のいずれか１項に記載の風向検知システムにおいて、
前記風向検知手段と、前記住宅に向かって吹く風の風速を検知する風速検知手段との一対を一組として、複数組が、前記住宅の外に設置され、
前記モニタ装置は、前記複数組の内の前記風速検知手段の中で、最も大きい風速を検知した風速検知手段と組となっている風向検知手段が検知した風向の方角を、前記風吹込方角とする風向検知システム。
【発明の詳細な説明】
【技術分野】
【０００１】
本発明は、住宅に向かって吹いている風の風向を、住宅にいながら知ることが可能な風向検知システムに関する。
【背景技術】
【０００２】
従来の住宅において、住宅近傍における地域気象の情報を入手して、洗濯物を室外へ干してもいいかとか、或いは、買い物時に、傘の携帯が必要か否かとかいった判断を行う上で、住宅の居室にいながら、外気温や降雨状況を確認することができれば、便利である。
【０００３】
そこで、このような要求に応えるべく、様々な仕組が提案され、使用されている（例えば、特許文献１，２参照）。特許文献１は、集合住宅に設置されるインターホン装置に関するもので、このインターホン装置は、気象データを検知する温度センサ、湿度センサ、及び、降雨センサを備えており、住戸の居室端末機を用いて外気温や降雨状況の確認が可能である。
【０００４】
又、特許文献２は、門柱に関するもので、この門柱では、門柱本体に雨水の滴下の有無の検出を行う雨センサを設けると共に、太陽電池パネルからの出力で充電される充電装置を設け、この充電装置から雨センサへ給電を行うと共に、雨センサの雨検知情報を、ワイアレス通信回線を介して、建物内の表示手段へ伝達するものである。
【特許文献１】特開２０００−１７４９１３号公報
【特許文献２】特開平１１−２７０２６１号公報
【発明の開示】
【発明が解決しようとする課題】
【０００５】
ところで、住宅における室内の温度管理は、通常、空調機器により行われ、これにより、快適な室内環境が実現されている。しかしながら、地球温暖化に対する配慮や、省エネの観点からは、空調機器に頼らず、積極的に、外部の自然の風を住宅内に取り入れることが望ましい。
【０００６】
このような、外部の自然の風を住宅内に取り入れるには、そのような状況に適した気象状態を把握する必要がある。しかし、普段、住宅内にいながら、住宅の外の風の状態を感じることはできない。又、上述した従来例においても、このような住宅の外の風の状態を住宅内にいる人に知らせるような仕組は、採用されてはいない。
【０００７】
この住宅の外の風の状態を、住宅内にいて知る方法としては、例えば、（１）一度外に出てみる。（２）窓（窓のサッシ）を開閉してみる。（３）バルコニーに出てみる。（４）通行人の様子を見る。（５）木々や植栽の様子や雲の動きを見る。といった方法が考えられる。
【０００８】
しかし、上記の（１）は、近所の人や他人に会う可能性があるため、着衣の状態に気を使う必要があり、住宅の外の風の状態を知るためだけに、着替え等をするのはわずらわしい。又、時刻によっては、出にくいこともある。
【０００９】
又、上記の（２）や（３）は、窓のサッシのそばやバルコニーにおける風しか感じることができない。又、窓（窓のサッシ）やバルコニーが風下であれば、風を感じる可能性が低くなるおそれがある。又、上記の（４）は、そのときに、必ずしも通行人がいるとは限らない。又、上記の（５）は、必ずしも木々や植栽があるとは限らない。又、雲が見えるか否かは、そのときの天気により左右される。従って、住宅全体で見た場合、どの方向からどの程度の風が吹いているかを判断するのは、容易ではない場合が多い。
【００１０】
そこで、この発明は、上記のような状況に対処するためになされたものであって、住宅に向かって吹いている風の風向や風速を、住宅にいながら知ることが可能で、これにより、外部の自然の風を住宅内に取り入れることに役立つ風向検知システムを提供しようとするものである。
【課題を解決するための手段】
【００１１】
本発明の風向検知システムは、住宅の外に設置され、該住宅に向かって吹く風の風向の方角を検知する風向検知手段と、住宅が備えている開閉可能な窓の位置を明示した住宅の間取図を表示する表示画面を備えたモニタ装置と、を備えるシステムである。
【００１２】
上記の風向検知システムでは、モニタ装置は、風向検知手段が検知した風向の方角を、住宅に対する風吹込方角として用いると共に、表示画面に表示された間取図に示されている北の方角に対して適合するように、風吹込方角を示す矢印等の図形を、間取図に重ねて表示画面に表示することを特徴としている。
【００１３】
それ故、モニタ装置の表示画面を見ることにより、住宅に向かって吹く風の風向の方角を、住宅の間取図との関係で、容易に知ることができる。そのため、外部の自然の風を住宅内に取り入れるには、どの窓を開けたらよいかを、容易に知ることができ、外部の自然の風を住宅内に取り入れるのを、容易に行うことができる。
【００１４】
上記の風向検知システムにおいて、住宅の外に設置され、該住宅に向かって吹く風の風速を検知する風速検知手段を備えると共に、モニタ装置は、該風速検知手段が検知した風速を、図形と共に、表示画面に表示するようにしてもよい。
【００１５】
このようにすることにより、住宅に向かって吹く風の風向の方角のみならず、その風速をも知ることができるので、外部の自然の風を住宅内に取り入れる判断を、容易に行うことができる。
【００１６】
又、上記の風向検知システムを、次のように構成してもよい。即ち、風吹込方角の風を、住宅外から該住宅内へ吹込ませるのに最適な窓を、住宅が備える開閉可能な窓の中から選択して、最適窓とすると共に、該最適窓に該当する住宅の間取図上の窓を、それ以外の窓と区別できるように、例えば、当該最適窓を点滅表示する等して、表示画面に表示するようにするのである。
【００１７】
このようにすることにより、外部の自然の風を住宅内に取り入れるのに最適な窓がどれであるかが容易に分かるので、当該最適な窓を開くことによって、外部の自然の風を住宅内に取り入れるのを、容易に行うことができる。
【００１８】
上記の風向検知システムにおいて、最適な窓を住宅が備える開閉可能な窓の中から選択する具体的な方法としては、例えば、次のような方法がある。即ち、上記の風向検知システムのモニタ装置に、東西南北の方角を分割した各方角域に含まれる方角の風を、住宅外から該住宅内へ吹込ませるのにもっとも最適な窓として、住宅が備える開閉可能な窓の中から抽出した窓を、各方角域と対応付けて構成された風吹込窓情報を備えるようにする。
【００１９】
そして、モニタ装置は、風向検知手段が検知した風向の方角である風吹込方角の方角が含まれる方角域と対応付けられている窓を、風吹込窓情報の中から選択して、最適窓とするのである。
【００２０】
このようにすることにより、外部の自然の風を住宅内に取り入れるのに最適な窓がどれであるかを判断可能な風向検知システムを、容易に構築することができ、このシステムを用いて、外部の自然の風を住宅内に取り入れるのを容易に行うことができる。
【００２１】
上記の風吹込窓情報を備える風向検知システムにおいて、風吹込窓情報を構成している窓は、住宅へ風を吹込ませるときの該風の入口となる窓、又は、住宅へ風を吹込ませるときの該風の入口となる窓、及び、該風の出口となる窓の双方とするのが好適である。
【００２２】
又、上記の風向検知システムを、次のように構成するようにしてもよい。即ち、住宅が備える開閉可能な窓には、開指令を受けると、自動的に開く窓開手段を備えるようにする。そうしておいて、モニタ装置は、上記の最適窓として選択された窓に備えられている窓開手段に対して、開指令を送るようにするのである。
【００２３】
このようにすることにより、外部の自然の風を住宅内に取り入れるのに最適な窓を、自動的に開けることができ、外部の自然の風を住宅内に取り入れるのを、容易に行うことができる。
【００２４】
又、住宅が備える開閉可能な窓に窓開手段を備えた上記の風向検知システムに、さらに、住宅の外に設置され、該住宅に向かって吹く風の風速を検知する風速検知手段を備えるようにしてもよい。
【００２５】
この場合には、モニタ装置は、風速検知手段が検知した風速が一定風速以下である場合に、最適窓に備えられている窓開手段に対して、開指令を送るようにするのである。
【００２６】
このようにすることにより、外部の自然の風を住宅内に取り入れるのに対して、風速が大きすぎて、外部の自然の風を住宅内に取り入れるのが最適とはいえない場合には、窓を開けないようにすることができる。
【００２７】
又、上記の風向検知システムにおいて、風向検知手段、及び、風速検知手段を、複数用いるようにしてもよい。この場合は、具体的には、例えば、風向検知手段と、住宅に向かって吹く風の風速を検知する風速検知手段との一対を一組として、複数組が、住宅の外に設置する。
【００２８】
そして、モニタ装置は、複数組の内の風速検知手段の中で、最も大きい風速を検知した風速検知手段と組となっている風向検知手段が検知した風向の方角を、風吹込方角とするようにするのである。
【００２９】
風向検知手段や、風速検知手段を、１つしか使用しない場合は、住宅に向かって吹くいかなる方角からの風も検知できるようにするために、これらの風向検知手段や、風速検知手段を、屋根の上や、屋根の上以外の場合には、屋根よりも高い位置に設置する必要があり、設置工事に手間とコストが必要となる。
【００３０】
しかし、上記のようにすることにより、設置工事にかかる手間とコストを抑制しつつ、風向検知システムを容易に構築することができ、このシステムを用いて、外部の自然の風を住宅内に取り入れるのを容易に行うことができる。
【発明の効果】
【００３１】
本発明の風向検知システムによれば、モニタ装置は、風向検知手段が検知した風向の方角を、住宅に対する風吹込方角として用いると共に、表示画面に表示された間取図に示されている北の方角に対して適合するように、風吹込方角を示す矢印等の図形を、間取図に重ねて表示画面に表示することができる。
【００３２】
それ故、モニタ装置の表示画面を見ることにより、住宅に向かって吹く風の風向の方角を、住宅の間取図との関係で、容易に知ることができる。そのため、外部の自然の風を住宅内に取り入れるには、どの窓を開けたらよいかを、容易に知ることができ、外部の自然の風を住宅内に取り入れるのを、容易に行うことができる。
【００３３】
又、風吹込方角の風を、住宅外から該住宅内へ吹込ませるのに最適な窓を、住宅が備える開閉可能な窓の中から選択して、最適窓とすると共に、該最適窓に該当する住宅の間取図上の窓を、それ以外の窓と区別できるように、例えば、当該最適窓を点滅表示する等して、表示画面に表示することができる。
【００３４】
そのため、外部の自然の風を住宅内に取り入れるのに最適な窓がどれであるかが容易に分かるので、当該最適な窓を開くことによって、外部の自然の風を住宅内に取り入れるのを、容易に行うことができる。
【００３５】
又、住宅が備える開閉可能な窓には、開指令を受けると自動的に開く窓開手段を備えるようにすると共に、モニタ装置は、上記の最適窓として選択された窓に備えられている窓開手段に対して、開指令を送るようにすることができる。
【００３６】
そのため、外部の自然の風を住宅内に取り入れるのに最適な窓を、自動的に開けることができ、外部の自然の風を住宅内に取り入れるのを、容易に行うことができる。
【発明を実施するための最良の形態】
【００３７】
次に、本発明の実施の形態における風向検知システムについて、図面に基づき詳細に説明する。尚、本実施の形態における風向検知システムは、風向の検知と共に、風速の検知も同時に行っている。そこで、本実施の形態における風向検知システムを、以下、風向風速検知システムと称する。本実施の形態における風向風速検知システムとしては、実施の形態１、実施の形態２、及び、実施の形態３の各風向風速検知システムについて説明する。
【００３８】
＜実施の形態１＞
最初に、実施の形態１における風向風速検知システム１について説明する。図１は、実施の形態１における風向風速検知システム１の構成を示したブロック図である。図１において、実施の形態１における風向風速検知システム１は、住宅の外に設置され、該住宅に向かって吹く風の風向の方角、及び、風速を検知する風向風速センサ６と、住宅の内に設置され、住宅の間取図を表示する表示画面を備えたモニタ装置１０とで構成される。
【００３９】
図２は、この風向風速検知システムに用いられる風向風速センサ６が、住宅５に設置された例を示した住宅５の外観図である。風向風速センサ６は、風向や風速を検知するのに障害となるようなものが近くに存在しないようにするために、図２に示すように、住宅５の屋根の上等に設置されるのが一般である。
【００４０】
この風向風速センサ６は、風向や風速を検知するのに障害となるようなものが近くに存在しない状態であれば、独立したポールを用いて設置してもよい。
【００４１】
風向風速センサ６は、住宅５に向かって吹く風の風向の方角、及び、風速を検知するセンサである。この風向風速センサ６としては、多様な種類のセンサが製作されている。例えば、形状がシンプルな風向風速センサ６として、同一平面状に、相互に等間隔で配置された３個の超音波トランスジューサを備えた風向風速センサ６が、よく用いられる。
【００４２】
この３個の超音波トランスジューサを備えた風向風速センサ６では、これらの３個の超音波トランスジューサ相互間で、相互に相手の超音波トランスジューサが発信する超音波の到着時間を測定することにより、風向の方角、及び、風速を検知する。
【００４３】
モニタ装置１０は、図１において、ＣＰＵ１１、メモリ１２、表示部１３、タッチパネル１４、ＬＡＮＩ／Ｆ１５、内部バスライン１６、及び、ＬＡＮライン１７で構成される。
【００４４】
この内、ＣＰＵ１１は、マイクロプロセッサーで構成されている。メモリ１２は、フラッシュメモリで構成されており、ＯＳや各種プログラム等のソフトウエアが搭載されている。ＣＰＵ１１は、これらのソフトウエアにより動作する。このメモリ１２は、ＣＰＵ１１のワーキングエリアとしても用いられる。又、メモリ１２には、住宅５の間取図の情報が、収納されている。
【００４５】
表示部１３は、ＬＣＤ等で構成されており、上記の風向風速検知システム１における各種の情報等の表示に用いられる。タッチパネル１４は、入力部として用いられ、表示部１３に重ねて設置されており、表示部１３にスイッチマーク等、パネルスイッチとして表示される部分と重なるタッチパネル１４の部分に、指等で触れることにより、入力を行うことができる。
【００４６】
ＬＡＮＩ／Ｆ１５は、モニタ装置１０が、ＬＡＮ（Local Area Network）ライン１７に接続されたセンサ等と信号やデータを送受信するのに用いられるインターフェイスである。上記の風向風速センサ６は、ＬＡＮライン１７に接続されており、風向風速センサ６の出力は、ＬＡＮＩ／Ｆ１５を介してＣＰＵ１１に伝えられる。
【００４７】
尚、風向風速センサ６が検知した風向の方角を、本実施の形態（実施の形態１〜実施の形態３）では、前記住宅に対する風吹込方角と称する。これは、本実施の形態における風向検知システムでは、外部の自然の風を住宅内に取り入れることに役立つことを、目的としているからである。
【００４８】
又、本実施の形態（実施の形態１〜実施の形態３）では、風向風速センサ６の風向出力である風吹込方角は、北の方向を、方角０°として、この北の方向に対して、風が吹いてくる方向と、この北の方向との間の角度で表され、この角度の単位に（°）を用いている。又、風速の出力は、単位がｍ／分の数値で表される。
【００４９】
次に、実施の形態１における風向風速検知システム１の動作について説明する。図３は、実施の形態１の風向風速検知システム１におけるモニタ装置１０の表示部１３の表示画面の例を示した画面図である。
【００５０】
尚、図３において、モニタ装置１０の表示部１３の表示画面の左上には、「設定」用のパネルスイッチ３０が設けられている。このパネルスイッチ３０は、各種設定を行う設定画面（図示されていない）に移行するパネルスイッチで、この設定画面により、各種の設定を行うことができる。
【００５１】
住宅５は、２階建てである。そこで、モニタ装置１０の表示部１３の表示画面には、「１階」及び「２階」を示すパネルスイッチが設けられており、「１階」にタッチすると、メモリ１２に収納されている住宅５の間取図の情報に基づいて、図３に示すように、１階の間取図が表示される。又、「２階」にタッチすると、２階の間取図が表示される（図示されていない）。これらの間取図には、住宅５の北の方角が、北方角矢印３１で示されている。
【００５２】
上述したように、住宅５の屋根の上に設置された風向風速センサ６からは、風向風速センサ６が検知した風向の方角である風吹込方角、及び、風速が出力される。この出力された風吹込方角、及び、風速は、ＬＡＮＩ／Ｆ１５を介して、モニタ装置１０へ入力される。すると、モニタ装置１０では、この風吹込方角、及び、風速が、モニタ装置１０の表示部１３の表示画面に表示される。
【００５３】
即ち、風吹込方角は、風が吹いてくる方向と、北の方向との間の角度（°）で表される。そこで、この風吹込方角を、モニタ装置１０の表示部１３の表示画面に表示されている間取図の北の方角に対して、風向風速センサ６の出力である風吹込方角の角度（°）だけ傾けた風吹込方角矢印３４で表すと共に、図３に示すように、間取図に重ねて表示画面に表示する。これは、２階の間取図が表示される（図示されていない）場合も同様である。
【００５４】
又、風速は、横長形状で、内部に横１列の５個のブロックを並べた風速インジケータ３５で表示する。この５個のブロックは、左から順に、「風速５ｍ／分以下」、「風速５ｍ／分〜風速１０ｍ／分」、「風速１０ｍ／分〜風速１５ｍ／分」、「風速１５ｍ／分〜風速２０ｍ／分」、「風速２０ｍ／分以上」を表している。
【００５５】
これらのブロックに対して、風向風速センサ６から出力された風速の値が含まれるブロックが点灯することにより、風速を表示する。図３では、風速が、「風速１０ｍ／分〜風速１５ｍ／分」であることを表している。風速の表示の方法としては、上記の風速インジケータ３５を用いるほかに、風向風速センサ６から出力された風速の値を、そのまま表示するようにしてもよい。或いは、矢印の大きさや、矢印の本数を用いて表示するようにしてもよい。
【００５６】
上記の風向風速検知システム１によれば、モニタ装置１０は、風向風速センサ６が検知した風向の方角を、住宅５に対する風吹込方角として用いると共に、モニタ装置１０の表示部１３の表示画面に表示された間取図に示されている北の方角に対して適合するように、風吹込方角を示す図形である風吹込方角矢印３４を、間取図に重ねて表示画面に表示することができる。
【００５７】
それ故、モニタ装置１０の表示部１３の表示画面を見ることにより、住宅５に向かって吹く風の風向の方角を、住宅５の間取図との関係で、容易に知ることができる。そのため、外部の自然の風を住宅５内に取り入れるには、どの窓を開けたらよいかを、容易に知ることができ、外部の自然の風を住宅内に取り入れるのを、容易に行うことができる。
【００５８】
又、風向風速センサ６が風速を検知してモニタ装置１０の表示部１３の表示画面に表示するので、住宅５に向かって吹く風の風向の方角のみならず、その風速をも知ることができる。従って、外部の自然の風を住宅５内に取り入れる判断を、容易に行うことができる。
【００５９】
＜実施の形態２＞
次に、実施の形態２における風向風速検知システム２について説明する。実施の形態２における風向風速検知システム２の構成は、実施の形態１における風向風速検知システム１と全く同じである。即ち、実施の形態２における風向風速検知システム２のブロック図としては、図１のブロック図が用いられる。尚、図７は、この実施の形態２の風向風速検知システムにおけるモニタ装置の表示部の表示画面図である。
【００６０】
実施の形態２における風向風速検知システム２では、上述したように、システムのブロック図として、図１のブロック図が用いられる。従って、実施の形態２の風向風速検知システム２における風吹込方角、及び、風速の表示は、実施の形態１における風向風速検知システム１と全く同じである。即ち、風吹込方角の表示は、風吹込方角矢印３４で表されると共に、風速の表示は、風速インジケータ３５で表される。
【００６１】
実施の形態２における風向風速検知システム２が、実施の形態１における風向風速検知システム１と異なるのは、上述した風吹込方角の風を、住宅５外から該住宅５内へ吹込ませるのにもっとも最適な窓を、住宅５が備える開閉可能な窓の中から選択して、最適窓とすると共に、該最適窓に該当する住宅５の間取図上の窓を、それ以外の窓と区別できるようにして、モニタ装置１０の表示部１３の表示画面に表示する点である。次に、この点について説明する。
【００６２】
住宅５が備える開閉可能な窓には、例えば、図４に示すように、識別番号を付与する。これらの識別番号が付与された住宅５の間取図上の窓は、それぞれ、モニタ装置１０の表示部１３の表示画面上で、独立して点滅表示を行わせることができるようになっている。
【００６３】
又、風向風速センサ６の風向の出力である風吹込方角を、東西南北の方角を分割して各方角域に分類する。即ち、図５に示すように、「北」、「北東」、「東」、「南東」、「南」、「南西」、「西」、及び、「北西」に分類する。これらの各方角域を、北の方向との間の角度（°）で表すと、図５に示すようになる。
【００６４】
その上で、風向風速センサ６の風向の出力である風吹込方角が含まれる上記の各方角域の風が吹いた場合に、当該風を住宅５内へ吹込ませるのに最適な窓である最適窓を、住宅５が備える開閉可能な窓の中から選択して、上記の各方角域と対応させた風吹込窓情報テーブルを作成する。図６は、この風吹込窓情報テーブルの例を示したものである。この風吹込窓情報テーブルの内容は、上述した設定画面（図示されていない）により、変更することができる。
【００６５】
上記の風吹込窓情報テーブルにおいて、住宅５内へ吹込ませるのに最適な窓である最適窓としては、風入口窓と、風出口窓とがあり、図６の風吹込窓情報テーブルには、この双方が記載されている。しかし、風入口窓のみとするようにしてもよい。
【００６６】
次に、実施の形態２における風向風速検知システム２の動作について説明する。図７は、実施の形態２の風向風速検知システム２におけるモニタ装置１０の表示部１３の表示画面の例を示した画面図である。
【００６７】
図７において、パネルスイッチ３０、北方角矢印３１、パネルスイッチ３２、パネルスイッチ３３、風吹込方角矢印３４、及び、風速インジケータ３５については、実施の形態１における風向風速検知システム１と全く同じである。
【００６８】
風向風速検知システム２では、風向風速センサ６が風向の方角を検知して風吹込方角を出力すると、モニタ装置１０では、ＣＰＵ１１が、図６の風吹込窓情報テーブルにアクセスする。そして、風向風速センサ６が出力した風吹込方角が含まれる方角域を抽出すると共に、この方角域に対応して記載されている最適窓である風入口窓、及び、風出口窓を抽出する。そして、さらに、この抽出された風入口窓、及び、風出口窓を、モニタ装置１０の表示部１３の表示画面に表示されている間取図上で、点滅表示させる。これは、２階の間取図が表示される（図示されていない）場合も同様である。
【００６９】
図７では、風向風速センサ６が出力した風吹込方角が、約２５２°の風に対する例を示したものである。図６の風吹込窓情報テーブルにおいて、風吹込方角が、２５２°の風は、風吹込方角種類が西である。又、この風吹込方角種類が西に対応する最適窓である風入口窓は、＃４と、＃５であり、風出口窓は、＃１である。そこで、図７では、間取図上において、＃４、＃５、及び、＃１の窓が点滅表示される。
【００７０】
上記の風向風速検知システム２によれば、風吹込方角の風を、住宅５外から該住宅５内へ吹込ませるのに最適な窓を、住宅５が備える開閉可能な窓の中から選択して、最適窓とすると共に、該最適窓に該当する住宅５の間取図上の窓を、それ以外の窓と区別できるように、例えば、当該最適窓を点滅表示する等して、モニタ装置１０の表示部１３の表示画面に表示することができる。
【００７１】
そのため、外部の自然の風を住宅５内に取り入れるのに最適な窓がどれであるかが容易に分かるので、当該最適な窓を開くことによって、外部の自然の風を住宅５内に取り入れるのを、容易に行うことができる。
【００７２】
＜実施の形態３＞
次に、実施の形態３における風向風速検知システム３について説明する。実施の形態３における風向風速検知システム３は、実施の形態２における風向風速検知システム２に、最適窓の自動開機能を付加したものである。
【００７３】
図８は、実施の形態３における風向風速検知システム３の構成を示したブロック図である。このブロック図は、図１の実施の形態１における風向風速検知システム１のブロック図において、ＬＡＮライン１７に、住宅５の開閉可能な窓にそれぞれ対応する、当該窓の窓自動開閉装置２１を接続したものである。この風向風速検知システム３では、住宅５の開閉可能な窓は、モニタ装置１０から、当該窓の開指令を受けると、当該窓は、自動的に開くようになっている。
【００７４】
そこで、風向風速検知システム３では、風向風速センサ６が風向の方角を検知して風吹込方角を出力すると、風向風速検知システム２と同様、モニタ装置１０では、図６の風吹込窓情報テーブルにアクセスする。そして、風向風速センサ６が出力した風吹込方角が含まれる方角域を抽出すると共に、この方角域に対応して記載されている最適窓である風入口窓、及び、風出口窓を抽出する。そして、さらに、この抽出された最適窓である風入口窓、及び、風出口窓を、モニタ装置１０の表示部１３の表示画面に表示されている間取図上で、点滅表示させる。
【００７５】
そして、上記の最適窓の点滅と同時に、当該最適窓の窓自動開閉装置２１に対して、当該最適窓の開指令を発することにより、当該最適窓を開くのである。これは、２階の間取図が表示される（図示されていない）場合も同様である。
【００７６】
図９は、実施の形態３の風向風速検知システム３におけるモニタ装置１０の表示部１３の表示画面の例を示した画面図である。図９では、実施の形態２における風向風速検知システム２の図７で示すモニタ装置１０の表示部１３の表示画面に加えて、パネルスイッチ３６，３７が追加表示されている。
【００７７】
この内、パネルスイッチ３６は、住宅５に備えられている開閉可能な全ての窓を開く「全窓開」用のスイッチである。又、パネルスイッチ３７は、住宅５に備えられている開閉可能な全ての窓を閉じる「全窓閉」用のスイッチである。
【００７８】
上記の「全窓閉」スイッチは、風向風速検知システム３において、自動的に開かれた最適窓を閉じる場合に用いられる。又、上記の「全窓閉」スイッチは、風向風速検知システム３における最適窓の窓自動機能にかかわらず、住宅５に備えられている開閉可能な全ての窓を開く場合に用いられる。
【００７９】
上記の風向風速検知システム３では、最適窓を自動的に開く風速の範囲を予め設定しておくことができる。この最適窓を自動的に開く風速の範囲は、上述した設定画面（図示されていない）により、設定することができる。
【００８０】
例えば、この最適窓を自動的に開く風速の範囲を、１ｍ／分〜２０ｍ／分としておくと、風向風速センサ６が出力した風速が、上記の１ｍ／分〜２０ｍ／分の範囲である場合に、最適窓が自動的に開かれる。又、風向風速センサ６が出力した風速が、上記の１ｍ／分〜２０ｍ／分の範囲を外れていると、最適窓は開かれない。又、一旦、開かれた最適窓に対して、風向風速センサ６が上記の１ｍ／分〜２０ｍ／分の範囲を外れた風速を出力すると、最適窓は自動的に閉じられる。
【００８１】
このように、最適窓が自動的に開かれる風速を、一定範囲に限るのは、特に、風速が大きい場合、風速が大きすぎて、外部の自然の風を住宅内に取り入れるのが最適とはいえない場合を考慮して、窓を開けないようにするためである。
【００８２】
上記の風向風速検知システム３によれば、住宅５に備えられている開閉可能な窓には、開指令を受けると、自動的に開く窓自動開閉装置２１を備えている。そして、モニタ装置１０は、上記の最適窓として選択された窓に備えられている窓自動開閉装置２１に対して、開指令を送るので、上記の最適窓として選択された窓を自動的に開くことができる。
【００８３】
従って、外部の自然の風を住宅５内に取り入れるのに最適な窓を、自動的に開けることができ、外部の自然の風を住宅５内に取り入れるのを、容易に行うことができる。
【００８４】
上記の実施の形態１〜実施の形態３では、住宅５における風向、及び、風速を検知するのに、１個の風向風速センサ６を使用している。この場合は、上述したように、風向や風速を検知するのに障害となるようなものが近くに存在しないようにするために、１個の風向風速センサ６を、図２に示すように、屋根の上等に設置されるのが一般である。
【００８５】
しかし、複数の風向風速センサ６を用いることもできる。この場合は、それぞれの風向風速センサ６に、風向や風速を検知するのに障害となるようなものが近くに存在しても、風向風速センサ６それぞれでは、障害物による風向や風速の検知の障害となる方角が重ならなければ、複数の全ての風向風速センサ６の出力を用いることにより、上記と同様の結果を得ることができる。例えば、住宅５の四隅の外部に、４個の風向風速センサ６を設置するようにするのである。
【００８６】
この複数の風向風速センサ６の出力を用いる方法としては、複数の風向風速センサ６の中で、最も大きい風速を検知した風向風速センサ６の出力を用いるようにするのである。
【００８７】
１個の風向風速センサ６を、上述したように、住宅５の屋根の上等に設置するのは、設置工事に手間とコストが必要となる。しかし、上記のようにすることにより、設置工事にかかる手間とコストを抑制しつつ、風向検知システムを容易に構築することができ、このシステムを用いて、外部の自然の風を住宅内に取り入れるのを容易に行うことができる。
【図面の簡単な説明】
【００８８】
【図１】実施の形態１における風向風速検知システムの構成を示したブロック図である。
【図２】実施の形態１における風向風速検知システムの風向風速センサが、住宅に設置された例を示した住宅の外観図である。
【図３】実施の形態１における風向風速検知システムのモニタ装置の表示部の表示画面図である。
【図４】実施の形態２における風向風速検知システムの住宅に備えられた窓の識別番号を示した間取図である。
【図５】実施の形態２における風向風速検知システムの風吹込方角を分割して形成された各方角域を示した説明図である。
【図６】実施の形態２における風向風速検知システムの風吹込窓情報を示した風吹込窓情報テーブルである。
【図７】実施の形態２の風向風速検知システムにおけるモニタ装置の表示部の表示画面図である。
【図８】実施の形態３における風向風速検知システムの構成を示したブロック図である。
【図９】実施の形態３の風向風速検知システムにおけるモニタ装置の表示部の表示画面図である。
【符号の説明】
【００８９】
１  風向風速検知システム
２  風向風速検知システム
３  風向風速検知システム
５  住宅
６  風向風速センサ
１０  モニタ装置
１１  ＣＰＵ
１２  メモリ
１３  表示部
１４  タッチパネル
１５  ＬＡＮＩ／Ｆ
１６  内部バスライン
１７  ＬＡＮライン
２１  窓自動開閉装置
３０  パネルスイッチ
３１  北方角矢印
３２  パネルスイッチ
３３  パネルスイッチ
３４  風吹込方角矢印
３５  風速インジケータ
３６  パネルスイッチ
３７  パネルスイッチ
【図１】
2010048677.tif 000003
【図２】
2010048677.tif 000004
【図３】
2010048677.tif 000005
【図４】
2010048677.tif 000006
【図５】
2010048677.tif 000007
【図６】
2010048677.tif 000008
【図７】
2010048677.tif 000009
【図８】
2010048677.tif 000010
【図９】
2010048677.tif 000011